(57)【要約】現像性、耐熱性及びドライエッチング耐性に優れるノボラック型樹脂及びレジスト膜を提供すること。下記構造式（１）2017098882.tif 000019［式中αは下記構造式（２）2017098882.tif 000020で表される構造部位（α）であり、ｎは２〜１０の整数である。］で表される分子構造を有する環状ノボラック型樹脂（Ａ）を含有し、樹脂中に存在するＸのうち少なくとも一つが３級アルキル基、アルコキシアルキル基、アシル基、アルコキシカルボニル基、ヘテロ原子含有環状炭化水素基、トリアルキルシリル基の何れかであり、樹脂中に存在する構造部位（α）のうち少なくとも一つはｌが１である構造部位（α１）であり、少なくとも一つはｌが２である構造部位（α２）であることを特徴とするノボラック型樹脂。
2017098882.tif 000002
【特許請求の範囲】
【請求項１】
下記構造式（１）
【化１】
2017098882.tif 000015
［式中αは下記構造式（２）
【化２】
2017098882.tif 000016
（式中Ｒ１は水素原子、置換基を有していても良いアルキル基、置換基を有していても良いアリール基の何れかである。Ｒ２はそれぞれ独立に水素原子、アルキル基、アルコキシ基、ハロゲン原子の何れかであり、ナフタレン環上の何れの炭素原子に結合していてもよく、ｍは１〜５の整数である。Ｘは水素原子、３級アルキル基、アルコキシアルキル基、アシル基、アルコキシカルボニル基、ヘテロ原子含有環状炭化水素基、トリアルキルシリル基の何れかであり、−ＯＸ基はナフタレン環上の何れの炭素原子に結合していてもよく、ｌは１又は２である。）
で表される構造部位（α）であり、ｎは２〜１０の整数である。］
で表される分子構造を有する環状ノボラック型樹脂（Ａ）を含有し、樹脂中に存在するＸのうち少なくとも一つが３級アルキル基、アルコキシアルキル基、アシル基、アルコキシカルボニル基、ヘテロ原子含有環状炭化水素基、トリアルキルシリル基の何れかであり、樹脂中に存在する構造部位（α）のうち少なくとも一つはｌが１である構造部位（α１）であり、少なくとも一つはｌが２である構造部位（α２）であることを特徴とするノボラック型樹脂。
【請求項２】
前記構造式（１）で表される分子構造を有する環状ノボラック型樹脂（Ａ）と、前記構造部位（α）を繰り返し単位として有する非環状ノボラック型樹脂（Ｂ）とを含有し、樹脂中に存在するＸのうち少なくとも一つが３級アルキル基、アルコキシアルキル基、アシル基、アルコキシカルボニル基、ヘテロ原子含有環状炭化水素基、トリアルキルシリル基の何れかであり、樹脂中に存在する構造部位（α）のうち少なくとも一つはｌが１である構造部位（α１）であり、少なくとも一つはｌが２である構造部位（α２）である請求項１記載のノボラック型樹脂。
【請求項３】
請求項１又は２に記載のノボラック型樹脂と光酸発生剤とを含有する感光性組成物。
【請求項４】
請求項３記載の感光性組成物からなるレジスト膜。
【請求項５】
請求項１又は２に記載のノボラック型樹脂と硬化剤とを含有する硬化性組成物。
【請求項６】
請求項５記載の硬化性組成物の硬化物。
【請求項７】
請求項５記載の硬化性組成物からなるレジスト膜。
【請求項８】
ナフトール化合物（ａ１）、ジヒドロキシナフタレン化合物（ａ２）、及びアルデヒド化合物（ａ３）を必須の成分として反応させて得られる、下記構造式（３）
【化３】
2017098882.tif 000017
［式中βは下記構造式（４）
【化４】
2017098882.tif 000018
（式中Ｒ１は水素原子、置換基を有していても良いアルキル基、置換基を有していても良いアリール基の何れかである。Ｒ２はそれぞれ独立に水素原子、アルキル基、アルコキシ基、ハロゲン原子の何れかであり、ナフタレン環上の何れの炭素原子に結合していてもよく、ｍは１〜５の整数である。水酸基はナフタレン環上の何れの炭素原子に結合していてもよく、ｌは１又は２である。）
で表される構造部位（β）であり、ｎは２〜１０の整数である。］
で表される分子構造を有する環状フェノール樹脂中間体（Ａ’）を含有し、樹脂中に存在する構造部位（β）のうち少なくとも一つはｌが１である構造部位（β１）であり、少なくとも一つはｌが２である構造部位（β２）であるフェノール樹脂中間体のフェノール性水酸基の水素原子の一部乃至全部を、３級アルキル基、アルコキシアルキル基、アシル基、アルコキシカルボニル基、ヘテロ原子含有環状炭化水素基、トリアルキルシリル基の何れかで置換する、ノボラック型樹脂の製造方法。
【発明の詳細な説明】
【技術分野】
【０００１】
本発明は、現像性、耐熱性及びドライエッチング耐性に優れるノボラック型樹脂及びこれを用いてなるレジスト膜に関する。
【背景技術】
【０００２】
フェノール性水酸基含有樹脂は、接着剤、成形材料、塗料、フォトレジスト材料、エポキシ樹脂原料、エポキシ樹脂用硬化剤等に用いられている他、硬化物における耐熱性や耐湿性などに優れることから、フェノール性水酸基含有樹脂自体を主剤とする硬化性組成物として、或いは、エポキシ樹脂等の硬化剤として、半導体封止材やプリント配線板用絶縁材料等の電気・電子分野で幅広く用いられている。【０００３】
このうちフォトレジストの分野では、用途や機能に応じて細分化された多種多様なレジストパターン形成方法が次々に開発されており、それに伴いレジスト用樹脂材料に対する要求性能も高度化かつ多様化している。例えば、高集積化された半導体に微細なパターンを正確かつ高い生産効率で形成するための高い現像性はもちろんのこと、レジスト下層膜に用いる場合にはドライエッチング耐性や耐熱性等が要求され、また、レジスト永久膜に用いる場合には特に高い耐熱性が要求される。【０００４】
フォトレジスト用途に最も広く用いられているフェノール性水酸基含有樹脂はクレゾールノボラック型のものであるが、前述の通り、高度化かつ多様化が進む昨今の市場要求性能に対応できるものではなく、耐熱性や現像性も十分なものではなかった（特許文献１参照）。
【先行技術文献】
【特許文献】
【０００５】
【特許文献１】特開平２−５５３５９号公報
【発明の概要】
【発明が解決しようとする課題】
【０００６】
したがって、本発明が解決しようとする課題は、現像性、耐熱性及びドライエッチング耐性に優れるノボラック型樹脂、これを含有する感光性組成物、硬化性組成物、レジスト膜を提供することにある。
【課題を解決するための手段】
【０００７】
本発明者らは、上記課題を解決するため鋭意検討を行った結果、ナフトール化合物及びジヒドロキシナフタレン化合物反応原料とするカリックスアレーン構造を有し、フェノール性水酸基の一部乃至全部に酸解離性保護基を導入して得られるノボラック型樹脂は、現像性、耐熱性及びドライエッチング耐性に優れることを見出し、本発明を完成させるに至った。【０００８】
即ち、本発明は、下記構造式（１）【０００９】
【化１】
2017098882.tif 000003
［式中αは下記構造式（２）【００１０】
【化２】
2017098882.tif 000004
（式中Ｒ１は水素原子、置換基を有していても良いアルキル基、置換基を有していても良いアリール基の何れかである。Ｒ２はそれぞれ独立に水素原子、アルキル基、アルコキシ基、ハロゲン原子の何れかであり、ナフタレン環上の何れの炭素原子に結合していてもよく、ｍは１〜５の整数である。Ｘは水素原子、３級アルキル基、アルコキシアルキル基、アシル基、アルコキシカルボニル基、ヘテロ原子含有環状炭化水素基、トリアルキルシリル基の何れかであり、−ＯＸ基はナフタレン環上の何れの炭素原子に結合していてもよく、ｌは１又は２である。）
で表される分子構造を有する環状ノボラック型樹脂（Ａ）を含有し、樹脂中に存在するＸのうち少なくとも一つが３級アルキル基、アルコキシアルキル基、アシル基、アルコキシカルボニル基、ヘテロ原子含有環状炭化水素基、トリアルキルシリル基の何れかであり、樹脂中に存在する構造部位（α）のうち少なくとも一つはｌが１である構造部位（α１）であり、少なくとも一つはｌが２である構造部位（α２）であることを特徴とするノボラック型樹脂に関する。【００１１】
本発明はさらに、前記構造式（１）で表される分子構造を有する環状ノボラック型樹脂（Ａ）と、前記構造部位（α）を繰り返し単位として有する非環状ノボラック型樹脂（Ｂ）とを含有し、樹脂中に存在するＸのうち少なくとも一つが３級アルキル基、アルコキシアルキル基、アシル基、アルコキシカルボニル基、ヘテロ原子含有環状炭化水素基、トリアルキルシリル基の何れかであり、樹脂中に存在する構造部位（α）のうち少なくとも一つはｌが１である構造部位（α１）であり、少なくとも一つはｌが２である構造部位（α２）であることを特徴とするノボラック型樹脂に関する。【００１２】
本発明はさらに、前記ノボラック型樹脂と感光剤とを含有する感光性組成物に関する。【００１３】
本発明はさらに、前記感光性組成物からなるレジスト膜に関する。【００１４】
本発明はさらに、前記ノボラック型樹脂と硬化剤とを含有する硬化性組成物に関する。【００１５】
本発明はさらに、前記硬化性組成物からなるレジスト膜に関する。【００１６】
本発明はさらに、ナフトール化合物（ａ１）、ジヒドロキシナフタレン化合物（ａ２）、及びアルデヒド化合物（ａ３）を必須の成分として反応させて得られる、下記構造式（３）【００１７】
【化３】
2017098882.tif 000005
［式中βは下記構造式（４）【００１８】
【化４】
2017098882.tif 000006
（式中Ｒ１は水素原子、置換基を有していても良いアルキル基、置換基を有していても良いアリール基の何れかである。Ｒ２はそれぞれ独立に水素原子、アルキル基、アルコキシ基、ハロゲン原子の何れかであり、ナフタレン環上の何れの炭素原子に結合していてもよく、ｍは１〜５の整数である。水酸基はナフタレン上の何れの炭素原子に結合していてもよく、ｌは１又は２である。）
で表される構造部位（β）であり、ｎは２〜１０の整数である。］
で表される分子構造を有する環状フェノール樹脂中間体（Ａ’）を含有し、樹脂中に存在する構造部位（β）のうち少なくとも一つはｌが１である構造部位（β１）であり、少なくとも一つはｌが２である構造部位（β２）であるフェノール樹脂中間体のフェノール性水酸基の水素原子の一部乃至全部を、３級アルキル基、アルコキシアルキル基、アシル基、アルコキシカルボニル基、ヘテロ原子含有環状炭化水素基、トリアルキルシリル基の何れかで置換する、ノボラック型樹脂の製造方法に関する。
【発明の効果】
【００１９】
本発明によれば、現像性、耐熱性及びドライエッチング耐性に優れるノボラック型樹脂、これを含有する感光性組成物及び硬化性組成物、レジスト膜を提供することができる。
【図面の簡単な説明】
【００２０】
【図１】図１は、製造例１で得られたフェノール樹脂中間体（１）のＧＰＣチャート図である。
【図２】図２は、製造例１で得られたフェノール樹脂中間体（１）のＦＤ−ＭＳチャート図である。
【図３】図３は、製造例２で得られたフェノール樹脂中間体（２）のＧＰＣチャート図である。
【図４】図４は、製造例２で得られたフェノール樹脂中間体（２）のＦＤ−ＭＳチャート図である。
【図５】図５は、製造例３で得られたフェノール樹脂中間体（３）のＧＰＣチャート図である。
【図６】図６は、製造例３で得られたフェノール樹脂中間体（３）のＦＤ−ＭＳチャート図である。
【発明を実施するための形態】
【００２１】
以下、本発明を詳細に説明する。
本発明のノボラック型樹脂は、下記構造式（１）
【００２２】
【化５】
2017098882.tif 000007
［式中αは下記構造式（２）
【００２３】
【化６】
2017098882.tif 000008
（式中Ｒ１は水素原子、置換基を有していても良いアルキル基、置換基を有していても良いアリール基の何れかである。Ｒ２はそれぞれ独立に水素原子、アルキル基、アルコキシ基、ハロゲン原子の何れかであり、ナフタレン環上の何れの炭素原子に結合していてもよく、ｍは１〜５の整数である。Ｘは水素原子、３級アルキル基、アルコキシアルキル基、アシル基、アルコキシカルボニル基、ヘテロ原子含有環状炭化水素基、トリアルキルシリル基の何れかであり、−ＯＸ基はナフタレン環上の何れの炭素原子に結合していてもよく、ｌは１又は２である。）
で表される構造部位（α）であり、ｎは２〜１０の整数である。］
で表される分子構造を有する環状ノボラック型樹脂（Ａ）を含有し、樹脂中に存在するＸのうち少なくとも一つが３級アルキル基、アルコキシアルキル基、アシル基、アルコキシカルボニル基、ヘテロ原子含有環状炭化水素基、トリアルキルシリル基の何れかであり、樹脂中に存在する構造部位（α）のうち少なくとも一つはｌが１である構造部位（α１）であり、少なくとも一つはｌが２である構造部位（α２）であることを特徴とする。
【００２４】
前記構造式（２）中のＲ１は水素原子、置換基を有していても良いアルキル基、置換基を有していても良いアリール基の何れかである。前記置換基を有していても良いアルキル基は、例えば、メチル基、エチル基、プロピル基、ブチル基、ペンチル基、へキシル基、シクロへキシル基等のアルキル基、及びこれらアルキル基の水素原子の一部が−ＯＸで表される構造部位（Ｘは水素原子、３級アルキル基、アルコキシアルキル基、アシル基、アルコキシカルボニル基、ヘテロ原子含有環状炭化水素基、トリアルキルシリル基の何れかである）、１級又は２級のアルキルオキシ基、ハロゲン原子等で置換された構造部位等が挙げられる。前記置換基を有していても良いアリール基は、例えば、フェニル基、トリル基、キシリル基、ナフチル基等のアリール基、及びこれらアリール基の水素原子の一部が−ＯＸで表される構造部位（Ｘは水素原子、３級アルキル基、アルコキシアルキル基、アシル基、アルコキシカルボニル基、ヘテロ原子含有環状炭化水素基、トリアルキルシリル基の何れかである）、１級又は２級のアルキルオキシ基、ハロゲン原子等で置換された構造部位等が挙げられる。
【００２５】
中でも、耐熱性と現像性とのバランスに優れるノボラック型樹脂となることから、置換基を有していても良いアルキル基又は置換基を有していても良いアリール基であることが好ましく、−ＯＸで表される構造部位（Ｘは水素原子、３級アルキル基、アルコキシアルキル基、アシル基、アルコキシカルボニル基、ヘテロ原子含有環状炭化水素基、トリアルキルシリル基の何れかである）を有するアリール基であることが好ましい。
【００２６】
前記構造式（２）中のＲ２はそれぞれ独立に水素原子、アルキル基、アルコキシ基、ハロゲン原子の何れかである。前記アルキル基は、例えば、メチル基、エチル基、プロピル基、ブチル基、ペンチル基、へキシル基、シクロへキシル基等が挙げられる。前記アルコキシ基は、例えば、メトキシ基、エトキシ基、プロピルオキシ基、ブトキシ基、ペンチルオキシ基、へキシルオキシ基、シクロへキシルオキシ基等が挙げられる。前記ハロゲン原子はフッ素原子、塩素原子、臭素原子が挙げられる。これらの中でも、耐熱性と現像性とのバランスに優れるノボラック型樹脂となることから、Ｒ２は水素原子であることが好ましい。
【００２７】
前記構造式（１）中のｎは２〜１０の整数である。中でも、構造安定性に優れ、耐熱性の高いノボラック樹脂となることから、２、３、４、５、６、８の何れかであることが好ましく、４であることが特に好ましい。
【００２８】
前記構造式（２）中のＸは、水素原子、３級アルキル基、アルコキシアルキル基、アシル基、アルコキシカルボニル基、ヘテロ原子含有環状炭化水素基、トリアルキルシリル基の何れかである。前記３級アルキル基は、例えば、ｔ−ブチル基、ｔ−ペンチル基等が挙げられる。前記アルコキシアルキル基は、例えば、メトキシエチル基、エトキシエチル基、プロポキシエチル基、ブトキシエチル基、シクロへキシルオキシエチル基、フェノキシエチル基等が挙げられる。前記アシル基は、例えば、アセチル基、エタノイル基、プロパノイル基、ブタノイル基、シクロヘキサンカルボニル基、ベンゾイル基等が挙げられる。前記アルコキシカルボニル基は、例えば、メトキシカルボニル基、エトキシカルボニル基、プロポキシカルボニル基、ブトキシカルボニル基、シクロへキシルオキシカルボニル基、フェノキシカルボニル基等が挙げられる。前記ヘテロ原子含有環状炭化水素基は、例えば、テトラヒドロフラニル基、テトラヒドロピラニル基等が挙げられる。前記トリアルキルシリル基は、例えば、トリメチルシリル基、トリエチルシリル基、ｔ−ブチルジメチルシリル基等が挙げられる。
【００２９】
中でも、耐熱性と現像性とのバランスに優れるノボラック型樹脂となることから、アルコキシアルキル基、アルコキシカルボニル基、ヘテロ原子含有環状炭化水素基の何れかであることが好ましく、エトキシエチル基、テトラヒドロピラニル基の何れかであることが好ましい。
【００３０】
また、本発明のノボラック樹脂中、−ＯＸで表される構造部位（Ｘは水素原子、３級アルキル基、アルコキシアルキル基、アシル基、アルコキシカルボニル基、ヘテロ原子含有環状炭化水素基、トリアルキルシリル基の何れかである）においてＸが３級アルキル基、アルコキシアルキル基、アシル基、アルコキシカルボニル基、ヘテロ原子含有環状炭化水素基、トリアルキルシリル基の何れかである構造部位（ＯＸ’）の割合は、耐熱性と現像性とのバランスに優れるノボラック型樹脂となることから３０〜１００％の範囲であることが好ましく、７０〜１００％の範囲であることがより好ましい。
【００３１】
本発明において、Ｘが３級アルキル基、アルコキシアルキル基、アシル基、アルコキシカルボニル基、ヘテロ原子含有環状炭化水素基、トリアルキルシリル基の何れかである構造部位（ＯＸ’）の存在比率は、下記条件で測定される１３Ｃ−ＮＭＲ測定において、Ｘが水素原子である構造部位（ＯＨ）、即ちフェノール性水酸基が結合するベンゼン環上の炭素原子に由来する１４５〜１６０ｐｐｍのピークと、Ｘが３級アルキル基、アルコキシアルキル基、アシル基、アルコキシカルボニル基、ヘテロ原子含有環状炭化水素基、トリアルキルシリル基の何れかである構造部位（ＯＸ’）中のフェノール性水酸基由来の酸素原子に結合しているＸ中の炭素原子に由来する９５〜１０５ｐｐｍのピークとの比から算出される値である。
装置：日本電子株式会社製「ＪＮＭ−ＬＡ３００」
溶媒：ＤＭＳＯ−ｄ６
【００３２】
前記構造式（２）中の−ＯＸ基の数を表すｌは１又は２であり、樹脂中に存在する構造部位（α）のうち少なくとも一つはｌが１である構造部位（α１）であり、少なくとも一つはｌが２である構造部位（α２）である。本願発明のノボラック型樹脂は、これら構造部位（α１）と（α２）とが共存することにより、現像性が極めて高い特徴を有する。本発明のノボラック型樹脂において、前記構造部位（α１）と前記構造部位（α２）との存在比率［（α１）/（α２）］は、耐熱性と現像性とのバランスに優れるノボラック型樹脂となることから、５/９５〜９５/５の範囲であることが好ましく、１０/９０〜９０/１０の範囲であることがより好ましく、２０/８０〜８０/２０の範囲であることが特に好ましい。
【００３３】
なお、本発明において前記構造部位（α１）と前記構造部位（α２）との存在比率［（α１）/（α２）］の割合は、１３Ｃ−ＮＭＲにおける−ＯＸ基が結節する芳香族炭素のピーク強度から確認することができる。
【００３４】
前記構造式（２）中−ＯＸで表される構造部位のナフタレン環上の置換位置は特に限定されないが、耐熱性と現像性とのバランスに優れるノボラック型樹脂となることから、前記構造部位（α１）においてはナフタレン環の１位に−ＯＸで表される構造部位を有することが好ましい。また、前記構造部位（α２）においてはナフタレン環の１位と６位に−ＯＸで表される構造部位を有することが好ましい。
【００３５】
本発明のノボラック型樹脂は、前記環状ノボラック型樹脂（Ａ）と併せて、前記構造部位（α）を繰り返し単位として有する非環状ノボラック型樹脂（Ｂ）を含有しても良い。  
【００３６】
本発明のノボラック型樹脂が非環状ノボラック型樹脂（Ｂ）を含有する場合、ノボラック樹脂中の前記環状ノボラック型樹脂（Ａ）の含有率は、耐熱性と現像性とのバランスに優れるノボラック型樹脂となることから、３０〜９５％の範囲であることが好ましく、４０〜９０％の範囲であることがより好ましい。
【００３７】
尚、ノボラック樹脂中の前記環状ノボラック型樹脂（Ａ）の含有率は、下記条件で測定されるゲルパーミエーションクロマトグラフィー（ＧＰＣ）のチャート図の面積比から算出される値である。
【００３８】
本発明において、ＧＰＣの測定条件は下記の通りである。
［ＧＰＣの測定条件］
測定装置：東ソー株式会社製「ＨＬＣ−８２２０  ＧＰＣ」
カラム：昭和電工株式会社製「Ｓｈｏｄｅｘ  ＫＦ８０２」（８．０ｍｍФ×３００ｍｍ）
＋昭和電工株式会社製「Ｓｈｏｄｅｘ  ＫＦ８０２」（８．０ｍｍФ×３００ｍｍ）
＋昭和電工株式会社製「Ｓｈｏｄｅｘ  ＫＦ８０３」（８．０ｍｍФ×３００ｍｍ）
＋昭和電工株式会社製「Ｓｈｏｄｅｘ  ＫＦ８０４」（８．０ｍｍФ×３００ｍｍ）
カラム温度：４０℃
検出器： ＲＩ（示差屈折計）
データ処理：東ソー株式会社製「ＧＰＣ−８０２０モデルＩＩバージョン４．３０」
展開溶媒：テトラヒドロフラン
流速：１．０ｍｌ／分
試料：樹脂固形分換算で０．５質量％のテトラヒドロフラン溶液をマイクロフィルターでろ過したもの
注入量：０．１ｍｌ
標準試料：下記単分散ポリスチレン
（標準試料：単分散ポリスチレン）
東ソー株式会社製「Ａ−５００」
東ソー株式会社製「Ａ−２５００」
東ソー株式会社製「Ａ−５０００」
東ソー株式会社製「Ｆ−１」
東ソー株式会社製「Ｆ−２」
東ソー株式会社製「Ｆ−４」
東ソー株式会社製「Ｆ−１０」
東ソー株式会社製「Ｆ−２０」
【００３９】
本発明のノボラック樹脂を製造する方法は特に限定されないが、例えば、ナフトール化合物（ａ１）、ジヒドロキシナフタレン化合物（ａ２）、及びアルデヒド化合物（ａ３）を必須の成分として反応させて得られる、下記構造式（３）
【００４０】
【化７】
2017098882.tif 000009
［式中βは下記構造式（４）
【００４１】
【化８】
2017098882.tif 000010
（式中Ｒ１は水素原子、置換基を有していても良いアルキル基、置換基を有していても良いアリール基の何れかである。Ｒ２はそれぞれ独立に水素原子、アルキル基、アルコキシ基、ハロゲン原子の何れかであり、ナフタレン環上の何れの炭素原子に結合していてもよく、ｍは１〜５の整数である。水酸基はナフタレン環上の何れの炭素原子に結合していてもよく、ｌは１又は２である。）
で表される分子構造を有する環状フェノール樹脂中間体（Ａ’）を含有し、樹脂中に存在する構造部位（β）のうち少なくとも一つはｌが１である構造部位（β１）であり、少なくとも一つはｌが２である構造部位（β２）であるフェノール樹脂中間体のフェノール性水酸基の水素原子の一部乃至全部を、３級アルキル基、アルコキシアルキル基、アシル基、アルコキシカルボニル基、ヘテロ原子含有環状炭化水素基、トリアルキルシリル基の何れかで置換する方法が挙げられる。
【００４２】
前記構造式（４）中のＲ１、Ｒ２、ｎは前記構造式（２）中のＲ１、Ｒ２、ｎと同義である。
【００４３】
前記構造式（４）中の水酸基の数を表すｌは１又は２であり、樹脂中に存在する構造部位（β）のうち少なくとも一つはｌが１である構造部位（β１）であり、少なくとも一つはｌが２である構造部位（β２）である。フェノール樹脂中間体において、前記構造部位（β１）と前記構造部位（β２）との存在比率［（β１）/（β２）］は、目的物であるノボラック型樹脂が耐熱性と現像性とのバランスに優れるものになることから、５/９５〜９５/５の範囲であることが好ましく、１０/９０〜９０/１０の範囲であることがより好ましく、２０/８０〜８０/２０の範囲であることが特に好ましい。
【００４４】
なお、本発明において前記構造部位（β１）と前記構造部位（β２）との存在比率［（β１）/（β２）］の割合は、１３Ｃ−ＮＭＲにおける水酸基が結節する芳香族炭素のピーク強度から確認することができる。
【００４５】
前記ナフトール化合物（ａ１）は、ナフトール及びナフトールの芳香核上にアルキル基、アルコキシ基、ハロゲン原子等の置換基を一つ乃至複数有する化合物であり、一種類を単独で用いても良いし、２種類以上を併用しても良い。ナフタレン環上のフェノール性水酸基の位置、及び各種置換基の置換位置は特に限定されないが、耐熱性と現像性とのバランスに優れるノボラック型樹脂となることから、ナフタレン環上の１位にフェノール性水酸基を有する化合物であることが好ましく、１−ナフトールが特に好ましい。
【００４６】
前記ジヒドロキシナフタレン化合物（ａ２）は、ジヒドロキシナフタレン及びジヒドロキシナフタレンの芳香核上にアルキル基、アルコキシ基、ハロゲン原子等の置換基を一つ乃至複数有する化合物であり、一種類を単独で用いても良いし、２種類以上を併用しても良い。ナフタレン環上のフェノール性水酸基の位置、及び各種置換基の置換位置は特に限定されないが、耐熱性と現像性とのバランスに優れるノボラック型樹脂となることから、ナフタレン環上の１位と６位にフェノール性水酸基を有する化合物であることが好ましく、１，６−ジヒドロキシナフタレンが特に好ましい。
【００４７】
前記アルデヒド化合物（ａ３）は、例えば、ホルムアルデヒド、アセトアルデヒド、プロピルアルデヒド、ブチルアルデヒド、イソブチルアルデヒド、ペンチルアルデヒド、へキシルアルデヒド等のアルキルアルデヒド；サリチルアルデヒド、３−ヒドロキシベンズアルデヒド、４−ヒドロキシベンズアルデヒド、２−ヒドロキシ−４−メチルベンズアルデヒド、２，４−ジヒドロキシベンズアルデヒド、３，４−ジヒドロキシベンズアルデヒド等のヒドロキシベンズアルデヒド；１−ヒドロキシ−２−ナフトアルデヒド、２−ヒドロキシ−１−ナフトアルデヒド、６−ヒドロキシ−２−ナフトアルデヒド等のヒドロキシナフトアルデヒド；メトキシベンズアルデヒド、エトキシベンズアルデヒド等のアルコキシベンズアルデヒド；２−ヒドロキシ−３−メトキシベンズアルデヒド、３−ヒドロキシ−４−メトキシベンズアルデヒド、４−ヒドロキシ−３−メトキシベンズアルデヒド、３−エトキシ−４−ヒドロキシベンズアルデヒド、４−ヒドロキシ−３，５−ジメトキシベンズアルデヒド等のヒドロキシ基とアルコキシ基の両方を有するベンズアルデヒド；ブロムベンズアルデヒド等のハロゲン化ベンズアルデヒド等が挙げられる。これらはそれぞれたんどくで用いても良いし、２種類以上を併用しても良い。
【００４８】
中でも、耐熱性と現像性とのバランスに優れるノボラック型樹脂となることから、アルキルアルデヒド又は前記ヒドロキシベンズアルデヒドが好ましく、現像性に一層優れるノボラック型樹脂となることから、サリチルアルデヒド、３−ヒドロキシベンズアルデヒド、４−ヒドロキシベンズアルデヒドの何れかであることが好ましい。
【００４９】
ナフトール化合物（ａ１）とジヒドロキシナフタレン化合物（ａ２）との仕込みのモル比［（ａ１）/（ａ２）］は、目的物であるノボラック型樹脂が耐熱性と現像性とのバランスに優れるものになることから、５/９５〜９５/５の範囲であることが好ましく、１０/９０〜９０/１０の範囲であることがより好ましく、２０/８０〜８０/２０の範囲であることが特に好ましい。
【００５０】
前記ナフトール化合物（ａ１）、前記ジヒドロキシナフタレン化合物（ａ２）、及び前記アルデヒド化合物（ａ３）の反応割合は、ヒドロキシナフタレン原料とアルデヒド化合物（ａ３）とのモル比［〔（ａ１）＋（ａ２）〕／（ａ３）］が０．５〜１．５の範囲となる条件で行うことが好ましい。
【００５１】
前記ナフトール化合物（ａ１）、前記ジヒドロキシナフタレン化合物（ａ２）、及び前記アルデヒド化合物（ａ３）の反応は、反応が効率的に進行することから酸触媒条件下で行うことが好ましい。前記酸触媒は、例えば、酢酸、シュウ酸、硫酸、塩酸、フェノールスルホン酸、パラトルエンスルホン酸、酢酸亜鉛、酢酸マンガン等が挙げられる。これらはそれぞれ単独で用いても良いし、２種以上併用しても良い。酸触媒の添加量は、反応原料の総質量に対し０．１〜１０質量％の範囲であることが好ましい。
【００５２】
前記ナフトール化合物（ａ１）、前記ジヒドロキシナフタレン化合物（ａ２）、及び前記アルデヒド化合物（ａ３）の反応温度条件は、反応が効率的に進行することから５０〜１２０℃の範囲であることが好ましい。
【００５３】
前記ナフトール化合物（ａ１）、前記ジヒドロキシナフタレン化合物（ａ２）、及び前記アルデヒド化合物（ａ３）の反応は、所望に応じて有機溶媒中、又は水と有機溶媒との混合溶媒中で行ってもよい。用いる有機溶媒は反応温度条件や反応原料の溶解性等に応じて適宜選択することができる。具体的には、２−エトキシエタノール、プロパノール、ブタノール、オクタノール、エチレングリコール、グリリン、エチレングリコールモノメチルエーテル、エチレングリコールモノエチルエーテル、エチレングリコールモノブチルエーテル、プロピレングリコールモノメチルエーテル等のアルコール溶媒；メチルエチルケトン、メチルイソブチルケトン等のケトン溶媒；酢酸ブチル、エチレングリコールモノメチルエーテルアセテート、エチレングリコールモノエチルエーテルアセテート、プロピレングリコールモノメチルエーテルアセテート等のエステル溶媒等が挙げられる。これらはそれぞれ単独で用いてもよいし、２種類以上の混合溶媒としても良い。
【００５４】
反応終了後は、反応生成物を水洗する等して、前記環状フェノール樹脂中間体（Ａ’）を含有するフェノール樹脂中間体が得られる。
【００５５】
本発明の環状ノボラック型樹脂を前記方法にて製造する場合、前記ナフトール化合物（ａ１）、前記ジヒドロキシナフタレン化合物（ａ２）、及び前記アルデヒド化合物（ａ３）の反応生成物として、前記構造式（３）で表される分子構造を有する環状フェノール樹脂中間体（Ａ’）の他、前記構造部位（β）を繰り返し単位として有する非環状フェノール樹脂中間体（Ｂ’）が得られることがある。
【００５６】
前記非環状フェノール樹脂中間体（Ｂ’）の生成量は、反応原料の選択や、前記ナフトール化合物（ａ１）、前記ジヒドロキシナフタレン化合物（ａ２）、及び前記アルデヒド化合物（ａ３）の反応比率、反応後に再沈殿等の精製操作を行うか否か等により適宜調整される。中でも、最終的に得られるノボラック型樹脂が耐熱性と現像性とのバランスに優れるものとなることから、フェノール樹脂中間体中の前記環状フェノール樹脂中間体（Ａ’）の含有率が３０〜９５％の範囲であることが好ましく、４０〜９０％の範囲であることがより好ましい。
【００５７】
尚、フェノール樹脂中間体中の前記環状フェノール樹脂中間体（Ａ’）の含有率は、ノボラック樹脂中の前記環状ノボラック型樹脂（Ａ）の含有率同様、ゲルパーミエーションクロマトグラフィー（ＧＰＣ）のチャート図の面積比から算出される値である。
【００５８】
次に、得られたフェノール樹脂中間体のフェノール性水酸基の水素原子の一部乃至全部を、３級アルキル基、アルコキシアルキル基、アシル基、アルコキシカルボニル基、ヘテロ原子含有環状炭化水素基、トリアルキルシリル基の何れかで置換する方法は、具体的には、前記フェノール樹脂中間体と、下記構造式（５−１）〜（５−８）
【００５９】
【化９】
2017098882.tif 000011
（式中Ｘはハロゲン原子を表し、Ｒ３はそれぞれ独立に炭素原子数１〜６のアルキル基又はフェニル基を表す。また、ｎは１又は２である。）
の何れかで表される化合物（以下「保護基導入剤」と略記する。）とを反応させる方法が挙げられる。
【００６０】
前記保護基導入剤の中でも、酸触媒条件下における開裂が進行し易く、光感度、解像度及びアルカリ現像性に優れる樹脂となることから、前記構造式（５−２）又は（５−７）で表される化合物が好ましく、エチルビニルエーテル又はジヒドロピランが特に好ましい。
【００６１】
前記フェノール樹脂中間体と前記構造式（５−１）〜（５−８）の何れかで表される保護基導入剤とを反応させる方法は、保護基導入剤として何れの化合物を用いるかによって異なり、保護基導入剤として前記構造式（５−１）、（５−３）、（５−４）、（５−５）、（５−６）、（５−８）の何れかで表される化合物を用いる場合には、例えば、前記フェノール樹脂中間体と保護基導入剤とを、ピリジンやトリエチルアミン等の塩基性触媒条件下で反応させる方法が挙げられる。また、保護基導入剤として前記構造式（５−２）又は（５−７）で表される化合物を用いる場合には、例えば、前記フェノール樹脂中間体と保護基導入剤とを、塩酸等の酸性触媒条件下で反応させる方法が挙げられる。
【００６２】
前記フェノール樹脂中間体と前記構造式（５−１）〜（５−８）の何れかで表される保護基導入剤との反応割合は、保護基導入剤として何れの化合物を用いるかによっても異なるが、得られるノボラック型樹脂中に存在する−ＯＸで表される構造部位（Ｘは水素原子、３級アルキル基、アルコキシアルキル基、アシル基、アルコキシカルボニル基、ヘテロ原子含有環状炭化水素基、トリアルキルシリル基の何れかである）において、Ｘが３級アルキル基、アルコキシアルキル基、アシル基、アルコキシカルボニル基、ヘテロ原子含有環状炭化水素基、トリアルキルシリル基の何れかである構造部位（ＯＸ’）の割合が３０〜１００％の範囲となるような割合で反応させることが好ましい。即ち、前記フェノール樹脂中間体中のフェノール性水酸基の合計１モルに対し、前記保護基導入剤が０．３〜２．０モルとなる割合で反応させることが好ましく、０．６〜２．０モルとなる範囲で反応させることがより好ましい。
【００６３】
前記フェノール樹脂中間体と前記保護基導入剤との反応は有機溶剤中で行っても良い。ここで用いる有機溶剤は例えば、１，３−ジオキソラン等が挙げられる。これらの有機溶剤はそれぞれ単独で用いても良いし、２種類以上の混合溶剤として用いても良い。
【００６４】
反応終了後は、反応混合物水洗し、再沈殿等により精製するなどして目的のノボラック型樹脂を得ることが出来る。
【００６５】
以上詳述した本発明のノボラック型樹脂は汎用性の有機溶剤に容易に溶解し、耐熱性に優れる特徴を有することから、接着剤や塗料、フォトレジスト、プリント配線基板等の各種の電気・電子部材用途に用いることが出来る。これらの用途の中でも、現像性、耐熱性及びドライエッチング耐性に優れる特徴を生かしたレジスト用途に特に適しており、感光剤と組み合わせたアルカリ現像性のレジスト材料として、或いは、硬化剤と組み合わせて、厚膜用途やレジスト下層膜、レジスト永久膜用途にも好適に用いることができる。
【００６６】
本発明の感光性組成物は、前記本発明のノボラック型樹脂と光酸発生剤とを必須の成分として含有する。
【００６７】
前記光酸発生剤は、例えば、有機ハロゲン化合物、スルホン酸エステル、オニウム塩、ジアゾニウム塩、ジスルホン化合物等が挙げられ、これらはそれぞれ単独で用いても良いし、２種類以上を併用しても良い。これらの具体例としては、例えば、トリス（トリクロロメチル）−ｓ−トリアジン、トリス（トリブロモメチル）−ｓ−トリアジン、トリス（ジブロモメチル）−ｓ−トリアジン、２，４−ビス（トリブロモメチル）−６−ｐ−メトキシフェニル−ｓ−トリアジンなどのハロアルキル基含有ｓ−トリアジン誘導体；
【００６８】
１，２，３，４−テトラブロモブタン、１，１，２，２−テトラブロモエタン、四臭化炭素、ヨードホルムなどのハロゲン置換パラフィン系炭化水素化合物；ヘキサブロモシクロヘキサン、ヘキサクロロシクロヘキサン、ヘキサブロモシクロドデカンなどのハロゲン置換シクロパラフィン系炭化水素化合物；
【００６９】
ビス（トリクロロメチル）ベンゼン、ビス（トリブロモメチル）ベンゼンなどのハロアルキル基含有ベンゼン誘導体；トリブロモメチルフェニルスルホン、トリクロロメチルフェニルスルホン等のハロアルキル基含有スルホン化合物；２，３−ジブロモスルホランなどのハロゲン含有スルホラン化合物；トリス（２，３−ジブロモプロピル）イソシアヌレートなどのハロアルキル基含有イソシアヌレート化合物；
【００７０】
トリフェニルスルホニウムクロライド、トリフェニルスルホニウムメタンスルホネート、トリフェニルスルホニウムトリフルオロメタンスルホネート、ジフェニル（４−メチルフェニル）スルフォニウムトリフルオロメタンスルフォネート、トリフェニルスルホニウムｐ−トルエンスルホネート、トリフェニルスルホニウムテトラフルオロボレート、トリフェニルスルホニウムヘキサフルオロアルセネート、トリフェニルスルホニウムヘキサフルオロホスホネートなどのスルホニウム塩；
【００７１】
ジフェニルヨードニウムトリフルオロメタンスルホネート、ジフェニルヨードニウムｐ−トルエンスルホネート、ジフェニルヨードニウムテトラフルオロボレート、ジフェニルヨードニウムヘキサフルオロアルセネート、ジフェニルヨードニウムヘキサフルオロホスホネートなどのヨードニウム塩；
【００７２】
ｐ−トルエンスルホン酸メチル、ｐ−トルエンスルホン酸エチル、ｐ−トルエンスルホン酸ブチル、ｐ−トルエンスルホン酸フェニル、１，２，３−トリス（ｐ−トルエンスルホニルオキシ）ベンゼン、ｐ−トルエンスルホン酸ベンゾインエステル、メタンスルホン酸メチル、メタンスルホン酸エチル、メタンスルホン酸ブチル、１，２，３−トリス（メタンスルホニルオキシ）ベンゼン、メタンスルホン酸フェニル、メタンスルホン酸ベンゾインエステル、トリフルオロメタンスルホン酸メチル、トリフルオロメタンスルホン酸エチル、トリフルオロメタンスルホン酸ブチル、１，２，３−トリス（トリフルオロメタンスルホニルオキシ）ベンゼン、トリフルオロメタンスルホン酸フェニル、トリフルオロメタンスルホン酸ベンゾインエステルなどのスルホン酸エステル化合物；ジフェニルジスルホンなどのジスルホン化合物；
【００７３】
ビス（フェニルスルホニル）ジアゾメタン、ビス（２，４−ジメチルフェニルスルホニル）ジアゾメタン、ビス（シクロヘキシルスルホニル）ジアゾメタン、シクロヘキシルスルホニル−（２−メトキシフェニルスルホニル）ジアゾメタン、シクロヘキシルスルホニル−（３−メトキシフェニルスルホニル）ジアゾメタン、シクロヘキシルスルホニル−（４−メトキシフェニルスルホニル）ジアゾメタン、シクロペンチルスルホニル−（２−メトキシフェニルスルホニル）ジアゾメタン、シクロペンチルスルホニル−（３−メトキシフェニルスルホニル）ジアゾメタン、シクロペンチルスルホニル−（４−メトキシフェニルスルホニル）ジアゾメタン、シクロヘキシルスルホニル−（２−フルオロフェニルスルホニル）ジアゾメタン、シクロヘキシルスルホニル−（３−フルオロフェニルスルホニル）ジアゾメタン、シクロヘキシルスルホニル−（４−フルオロフェニルスルホニル）ジアゾメタン、シクロペンチルスルホニル−（２−フルオロフェニルスルホニル）ジアゾメタン、シクロペンチルスルホニル−（３−フルオロフェニルスルホニル）ジアゾメタン、シクロペンチルスルホニル−（４−フルオロフェニルスルホニル）ジアゾメタン、シクロヘキシルスルホニル−（２−クロロフェニルスルホニル）ジアゾメタン、シクロヘキシルスルホニル−（３−クロロフェニルスルホニル）ジアゾメタン、シクロヘキシルスルホニル−（４−クロロフェニルスルホニル）ジアゾメタン、シクロペンチルスルホニル−（２−クロロフェニルスルホニル）ジアゾメタン、シクロペンチルスルホニル−（３−クロロフェニルスルホニル）ジアゾメタン、シクロペンチルスルホニル−（４−クロロフェニルスルホニル）ジアゾメタン、シクロヘキシルスルホニル−（２−トリフルオロメチルフェニルスルホニル）ジアゾメタン、シクロヘキシルスルホニル−（３−トリフルオロメチルフェニルスルホニル）ジアゾメタン、シクロヘキシルスルホニル−（４−トリフルオロメチルフェニルスルホニル）ジアゾメタン、シクロペンチルスルホニル−（２−トリフルオロメチルフェニルスルホニル）ジアゾメタン、シクロペンチルスルホニル−（３−トリフルオロメチルフェニルスルホニル）ジアゾメタン、シクロペンチルスルホニル−（４−トリフルオロメチルフェニルスルホニル）ジアゾメタン、シクロヘキシルスルホニル−（２−トリフルオロメトキシフェニルスルホニル）ジアゾメタン、シクロヘキシルスルホニル−（３−トリフルオロメトキシフェニルスルホニル）ジアゾメタン、シクロヘキシルスルホニル−（４−トリフルオロメトキシフェニルスルホニル）ジアゾメタン、シクロペンチルスルホニル−（２−トリフルオロメトキシフェニルスルホニル）ジアゾメタン、シクロペンチルスルホニル−（３−トリフルオロメトキシフェニルスルホニル）ジアゾメタン、シクロペンチルスルホニル−（４−トリフルオロメトキシフェニルスルホニル）ジアゾメタン、シクロヘキシルスルホニル−（２，４，６−トリメチルフェニルスルホニル）ジアゾメタン、シクロヘキシルスルホニル−（２，３，４−トリメチルフェニルスルホニル）ジアゾメタン、シクロヘキシルスルホニル−（２，４，６−トリエチルフェニルスルホニル）ジアゾメタン、シクロヘキシルスルホニル−（２，３，４−トリエチルフェニルスルホニル）ジアゾメタン、シクロペンチルスルホニル−（２，４，６−トリメチルフェニルスルホニル）ジアゾメタン、シクロペンチルスルホニル−（２，３，４−トリメチルフェニルスルホニル）ジアゾメタン、シクロペンチルスルホニル−（２，４，６−トリエチルフェニルスルホニル）ジアゾメタン、シクロペンチルスルホニル−（２，３，４−トリエチルフェニルスルホニル）ジアゾメタン、フェニルスルホニル−（２−メトキシフェニルスルホニル）ジアゾメタン、フェニルスルホニル−（３−メトキシフェニルスルホニル）ジアゾメタン、フェニルスルホニル−（４−メトキシフェニルスルホニル）ジアゾメタン、ビス（２−メトキシフェニルスルホニル）ジアゾメタン、ビス（３−メトキシフェニルスルホニル）ジアゾメタン、ビス（４−メトキシフェニルスルホニル）ジアゾメタン、フェニルスルホニル−（２，４，６−トリメチルフェニルスルホニル）ジアゾメタン、フェニルスルホニル−（２，３，４−トリメチルフェニルスルホニル）ジアゾメタン、フェニルスルホニル−（２，４，６−トリエチルフェニルスルホニル）ジアゾメタン、フェニルスルホニル−（２，３，４−トリエチルフェニルスルホニル）ジアゾメタン、２，４−ジメチルフェニルスルホニル−（２，４，６−トリメチルフェニルスルホニル）ジアゾメタン、２，４−ジメチルフェニルスルホニル−（２，３，４−トリメチルフェニルスルホニル）ジアゾメタン、フェニルスルホニル−（２−フルオロフェニルスルホニル）ジアゾメタン、フェニルスルホニル−（３−フルオロフェニルスルホニル）ジアゾメタン、フェニルスルホニル−（４−フルオロフェニルスルホニル）ジアゾメタンなどのスルホンジアジド化合物；
【００７４】
ｏ−ニトロベンジル−ｐ−トルエンスルホネートなどのｏ−ニトロベンジルエステル化合物；Ｎ，Ｎ’−ジ（フェニルスルホニル）ヒドラジドなどのスルホンヒドラジド化合物等が挙げられる。
【００７５】
これら光酸発生剤の添加量は、光感度の高い感光性組成物となることから、感光性組成物の樹脂固形分１００質量部に対し、０．１〜２０質量部の範囲で用いることが好ましい。
【００７６】
本発明の感光性組成物は、露光時に前記光酸発生剤から生じた酸を中和するための有機塩基化合物を含有しても良い。有機塩基化合物の添加は、光酸発生剤から発生した酸の移動によるレジストパターンの寸法変動を防止する効果がある。ここで用いる有機塩基化合物は、例えば、含窒素化合物から選ばれる有機アミン化合物が挙げられ、具体的には、ピリミジン、２−アミノピリミジン、４−アミノピリミジン、５−アミノピリミジン、２，４−ジアミノピリミジン、２，５−ジアミノピリミジン、４，５−ジアミノピリミジン、４，６−ジアミノピリミジン、２，４，５−トリアミノピリミジン、２，４，６−トリアミノピリミジン、４，５，６−トリアミノピリミジン、２，４，５，６−テトラアミノピリミジン、２−ヒドロキシピリミジン、４−ヒドロキシピリミジン、５−ヒドロキシピリミジン、２，４−ジヒドロキシピリミジン、２，５−ジヒドロキシピリミジン、４，５−ジヒドロキシピリミジン、４，６−ジヒドロキシピリミジン、２，４，５−トリヒドロキシピリミジン、２，４，６−トリヒドロキシピリミジン、４，５，６−トリヒドロキシピリミジン、２，４，５，６−テトラヒドロキシピリミジン、２−アミノ−４−ヒドロキシピリミジン、２−アミノ−５−ヒドロキシピリミジン、２−アミノ−４，５−ジヒドロキシピリミジン、２−アミノ−４，６−ジヒドロキシピリミジン、４−アミノ−２，５−ジヒドロキシピリミジン、４−アミノ−２，６−ジヒドロキシピリミジン、２−アミノ−４−メチルピリミジン、２−アミノ−５−メチルピリミジン、２−アミノ−４，５−ジメチルピリミジン、２−アミノ−４，６−ジメチルピリミジン、４−アミノ−２，５−ジメチルピリミジン、４−アミノ−２，６−ジメチルピリミジン、２−アミノ−４−メトキシピリミジン、２−アミノ−５−メトキシピリミジン、２−アミノ−４，５−ジメトキシピリミジン、２−アミノ−４，６−ジメトキシピリミジン、４−アミノ−２，５−ジメトキシピリミジン、４−アミノ−２，６−ジメトキシピリミジン、２−ヒドロキシ−４−メチルピリミジン、２−ヒドロキシ−５−メチルピリミジン、２−ヒドロキシ−４，５−ジメチルピリミジン、２−ヒドロキシ−４，６−ジメチルピリミジン、４−ヒドロキシ−２，５−ジメチルピリミジン、４−ヒドロキシ−２，６−ジメチルピリミジン、２−ヒドロキシ−４−メトキシピリミジン、２−ヒドロキシ−４−メトキシピリミジン、２−ヒドロキシ−５−メトキシピリミジン、２−ヒドロキシ−４，５−ジメトキシピリミジン、２−ヒドロキシ−４，６−ジメトキシピリミジン、４−ヒドロキシ−２，５−ジメトキシピリミジン、４−ヒドロキシ−２，６−ジメトキシピリミジンなどのピリミジン化合物；
【００７７】
ピリジン、４−ジメチルアミノピリジン、２，６−ジメチルピリジン等のピリジン化合物；
【００７８】
ジエタノールアミン、トリエタノールアミン、トリイソプロパノールアミン、トリス（ヒドロキシメチル）アミノメタン、ビス（２−ヒドロキシエチル）イミノトリス（ヒドロキシメチル）メタンなどの炭素数１以上４以下のヒドロキシアルキル基で置換されたアミン化合物；
【００７９】
２−アミノフェノール、３−アミノフェノール、４−アミノフェノールなどのアミノフェノール化合物等が挙げられる。これらはそれぞれ単独で用いても良いし、２種類以上を併用しても良い。中でも、露光後のレジストパターンの寸法安定性に優れることから、前記ピリミジン化合物、ピリジン化合物、またはヒドロキシ基をもつアミン化合物が好ましく、特にヒドロキシ基をもつアミン化合物が好ましい。
【００８０】
前記有機塩基化合物を添加する場合、その添加量は、光酸発生剤の含有量に対して、０．１〜１００モル％の範囲であることが好ましく、１〜５０モル％の範囲であることがより好ましい。
【００８１】
本発明の感光性組成物は、前記本発明のノボラック型樹脂以外に、その他の樹脂（Ｖ）を併用しても良い。その他の樹脂（Ｖ）は、アルカリ現像液に可溶なもの、或いは、酸発生剤等の添加剤と組み合わせて用いることによりアルカリ現像液へ溶解するものであれば何れのものも用いることができる。
【００８２】
ここで用いるその他の樹脂（Ｖ）は、例えば、本発明のノボラック型樹脂以外のその他のフェノール樹脂（Ｖ−１）、ｐ−ヒドロキシスチレンやｐ−（１，１，１，３，３，３−ヘキサフルオロ−２−ヒドロキシプロピル）スチレン等のヒドロキシ基含有スチレン化合物の単独重合体あるいは共重合体（Ｖ−２）、前記（Ｖ−１）又は（Ｖ−２）の水酸基をｔ−ブトキシカルボニル基やベンジルオキシカルボニル基等の酸分解性基で変性したもの（Ｖ−３）、（メタ）アクリル酸の単独重合体あるいは共重合体（Ｖ−４）、ノルボルネン化合物やテトラシクロドデセン化合物等の脂環式重合性単量体と無水マレイン酸或いはマレイミドとの交互重合体（Ｖ−５）等が挙げられる。
【００８３】
前記その他のフェノール樹脂（Ｖ−１）は、例えば、フェノールノボラック樹脂、クレゾールノボラック樹脂、ナフトールノボラック樹脂、種々のフェノール性化合物を用いた共縮ノボラック樹脂、芳香族炭化水素ホルムアルデヒド樹脂変性フェノール樹脂、ジシクロペンタジエンフェノール付加型樹脂、フェノールアラルキル樹脂（ザイロック樹脂）、ナフトールアラルキル樹脂、トリメチロールメタン樹脂、テトラフェニロールエタン樹脂、ビフェニル変性フェノール樹脂（ビスメチレン基でフェノール核が連結された多価フェノール化合物）、ビフェニル変性ナフトール樹脂（ビスメチレン基でフェノール核が連結された多価ナフトール化合物）、アミノトリアジン変性フェノール樹脂（メラミン、ベンゾグアナミンなどでフェノール核が連結された多価フェノール化合物）やアルコキシ基含有芳香環変性ノボラック樹脂（ホルムアルデヒドでフェノール核及びアルコキシ基含有芳香環が連結された多価フェノール化合物）等のフェノール樹脂が挙げられる。
【００８４】
前記他のフェノール樹脂（Ｖ−１）の中でも、感度が高く、耐熱性にも優れる感光性樹脂組成物となることから、クレゾールノボラック樹脂又はクレゾールと他のフェノール性化合物との共縮ノボラック樹脂が好ましい。クレゾールノボラック樹脂又はクレゾールと他のフェノール性化合物との共縮ノボラック樹脂は、具体的には、ｏ−クレゾール、ｍ−クレゾール及びｐ−クレゾールからなる群から選ばれる少なくとも１つのクレゾールとアルデヒド化合物とを必須原料とし、適宜その他のフェノール性化合物を併用して得られるノボラック樹脂である。
【００８５】
前記クレゾール以外のその他のフェノール性化合物は、例えば、フェノール；２，３−キシレノール、２，４−キシレノール、２，５−キシレノール、２，６−キシレノール、３，４−キシレノール、３，５−キシレノール等のキシレノール；ｏ−エチルフェノール、ｍ−エチルフェノール、ｐ−エチルフェノール等のエチルフェノール；イソプロピルフェノール、ブチルフェノール、ｐ−ｔ−ブチルフェノール等のブチルフェノール；ｐ−ペンチルフェノール、ｐ−オクチルフェノール、ｐ−ノニルフェノール、ｐ−クミルフェノール等のアルキルフェノール；フルオロフェノール、クロロフェノール、ブロモフェノール、ヨードフェノール等のハロゲン化フェノール；ｐ−フェニルフェノール、アミノフェノール、ニトロフェノール、ジニトロフェノール、トリニトロフェノール等の１置換フェノール；１−ナフトール、２−ナフトール等の縮合多環式フェノール；レゾルシン、アルキルレゾルシン、ピロガロール、カテコール、アルキルカテコール、ハイドロキノン、アルキルハイドロキノン、フロログルシン、ビスフェノールＡ、ビスフェノールＦ、ビスフェノールＳ、ジヒドロキシナフタリン等の多価フェノール等が挙げられる。これらその他のフェノール性化合物は、それぞれ単独で用いても良いし、２種以上を併用しても良い。これらその他のフェノール性化合物を用いる場合、その使用量は、クレゾール原料の合計１モルに対し、その他のフェノール性化合物が０．０５〜１モルの範囲となる割合であることが好ましい。
【００８６】
また、前記アルデヒド化合物は、例えば、ホルムアルデヒド、パラホルムアルデヒド、トリオキサン、アセトアルデヒド、プロピオンアルデヒド、ポリオキシメチレン、クロラール、ヘキサメチレンテトラミン、フルフラール、グリオキザール、ｎ−ブチルアルデヒド、カプロアルデヒド、アリルアルデヒド、ベンズアルデヒド、クロトンアルデヒド、アクロレイン、テトラオキシメチレン、フェニルアセトアルデヒド、ｏ−トルアルデヒド、サリチルアルデヒド等が挙げられ、それぞれ単独で用いても良いし、２種以上を併用しても良い。中でも、反応性に優れることからホルムアルデヒドが好ましく、ホルムアルデヒドとその他のアルデヒド化合物を併用しても構わない。ホルムアルデヒドとその他のアルデヒド化合物を併用する場合、その他のアルデヒド化合物の使用量は、ホルムアルデヒド１モルに対して、０．０５〜１モルの範囲とすることが好ましい。
【００８７】
ノボラック樹脂を製造する際のフェノール性化合物とアルデヒド化合物との反応比率は、感度と耐熱性に優れる感光性樹脂組成物が得られることから、フェノール性化合物１モルに対しアルデヒド化合物が０．３〜１．６モルの範囲であることが好ましく、０．５〜１．３の範囲であることがより好ましい。
【００８８】
前記フェノール性化合物とアルデヒド化合物との反応は、酸触媒存在下６０〜１４０℃の温度条件で行い、次いで減圧条件下にて水や残存モノマーを除去する方法が挙げられる。ここで用いる酸触媒は、例えば、シュウ酸、硫酸、塩酸、フェノールスルホン酸、パラトルエンスルホン酸、酢酸亜鉛、酢酸マンガン等が挙げられ、それぞれ単独で用いても良いし、２種類以上を併用しても良い。中でも、触媒活性に優れる点からシュウ酸が好ましい。
【００８９】
以上詳述したクレゾールノボラック樹脂、又はクレゾールと他のフェノール性化合物との共縮ノボラック樹脂の中でも、メタクレゾールを単独で用いたクレゾールノボラック樹脂、または、メタクレゾールとパラクレゾールとを併用したクレゾールノボラック樹脂であることが好ましい。また、後者においてメタクレゾールとパラクレゾールとの反応モル比［メタクレゾール／パラクレゾール］は、感度と耐熱性とのバランスに優れる感光性樹脂組成物となることから、１０／０〜２／８の範囲が好ましく、７／３〜２／８の範囲がより好ましい。
【００９０】
前記その他の樹脂（Ｖ）を用いる場合、本発明のノボラック型樹脂とその他の樹脂（Ｖ）との配合割合は所望の用途により任意に調整することが出来る。例えば、本発明のノボラック型樹脂は感光剤と組み合わせたときの光感度や解像度、耐熱性に優れることから、これを主成分とする感光性組成物はレジスト用途に最適である。このとき、樹脂成分の合計における本発明のノボラック型樹脂の割合は、光感度が高く解像度や耐熱性にも優れる硬化性組成物となることから、６０質量％以上であることが好ましく、８０質量％以上であることがより好ましい。
【００９１】
また、本発明のノボラック型樹脂の光感度に優れる特徴を活かして、これを感度向上剤として用いることもできる。この場合本発明のノボラック型樹脂とその他の樹脂（Ｖ）との配合割合は、前記その他の樹脂（Ｖ）１００質量部に対し、本発明のノボラック型樹脂が３〜８０質量部の範囲であることが好ましい。
【００９２】
本発明の感光性組成物は、更に、通常のレジスト材料に用いる感光剤を含有しても良い。前記感光剤は、例えば、キノンジアジド基を有する化合物が挙げられる。キノンジアジド基を有する化合物の具体例としては、例えば、芳香族（ポリ）ヒドロキシ化合物と、ナフトキノン−１，２−ジアジド−５−スルホン酸、ナフトキノン−１，２−ジアジド−４−スルホン酸、オルトアントラキノンジアジドスルホン酸等のキノンジアジド基を有するスルホン酸との完全エステル化合物、部分エステル化合物、アミド化物又は部分アミド化物などが挙げられる。
【００９３】
ここで用いる前記芳香族（ポリ）ヒドロキシ化合物は、例えば、２，３，４−トリヒドロキシベンゾフェノン、２，４，４’−トリヒドロキシベンゾフェノン、２，４，６−トリヒドロキシベンゾフェノン、２，３，６−トリヒドロキシベンゾフェノン、２，３，４−トリヒドロキシ−２’−メチルベンゾフェノン、２，３，４，４’−テトラヒドロキシベンゾフェノン、２，２’，４，４’−テトラヒドロキシベンゾフェノン、２，３’，４，４’，６−ペンタヒドロキシベンゾフェノン、２，２’，３，４，４’−ペンタヒドロキシベンゾフェノン、２，２’，３，４，５−ペンタヒドロキシベンゾフェノン、２，３’，４，４’，５’，６−ヘキサヒドロキシベンゾフェノン、２，３，３’，４，４’，５’−ヘキサヒドロキシベンゾフェノン等のポリヒドロキシベンゾフェノン化合物；
【００９４】
ビス（２，４−ジヒドロキシフェニル）メタン、ビス（２，３，４−トリヒドロキシフェニル）メタン、２−（４−ヒドロキシフェニル）−２−（４’−ヒドロキシフェニル）プロパン、２−（２，４−ジヒドロキシフェニル）−２−（２’，４’−ジヒドロキシフェニル）プロパン、２−（２，３，４−トリヒドロキシフェニル）−２−（２’，３’，４’−トリヒドロキシフェニル）プロパン、４，４’−｛１−［４−〔２−（４−ヒドロキシフェニル）−２−プロピル〕フェニル］エチリデン｝ビスフェノール，３，３’−ジメチル−｛１−［４−〔２−（３−メチル−４−ヒドロキシフェニル）−２−プロピル〕フェニル］エチリデン｝ビスフェノール等のビス［（ポリ）ヒドロキシフェニル］アルカン化合物；
【００９５】
トリス（４−ヒドロキシフェニル）メタン、ビス（４−ヒドロキシ−３、５−ジメチルフェニル）−４−ヒドロキシフェニルメタン、ビス（４−ヒドロキシ−２，５−ジメチルフェニル）−４−ヒドロキシフェニルメタン、ビス（４−ヒドロキシ−３，５−ジメチルフェニル）−２−ヒドロキシフェニルメタン、ビス（４−ヒドロキシ−２，５−ジメチルフェニル）−２−ヒドロキシフェニルメタン、ビス（４−ヒドロキシ−２，５−ジメチルフェニル）−３，４−ジヒドロキシフェニルメタン、ビス（４−ヒドロキシ−３，５−ジメチルフェニル）−３，４−ジヒドロキシフェニルメタン等のトリス（ヒドロキシフェニル）メタン化合物又はそのメチル置換体；
【００９６】
ビス（３−シクロヘキシル−４−ヒドロキシフェニル）−３−ヒドロキシフェニルメタン，ビス（３−シクロヘキシル−４−ヒドロキシフェニル）−２−ヒドロキシフェニルメタン，ビス（３−シクロヘキシル−４−ヒドロキシフェニル）−４−ヒドロキシフェニルメタン，ビス（５−シクロヘキシル−４−ヒドロキシ−２−メチルフェニル）−２−ヒドロキシフェニルメタン，ビス（５−シクロヘキシル−４−ヒドロキシ−２−メチルフェニル）−３−ヒドロキシフェニルメタン、ビス（５−シクロヘキシル−４−ヒドロキシ−２−メチルフェニル）−４−ヒドロキシフェニルメタン、ビス（３−シクロヘキシル−２−ヒドロキシフェニル）−３−ヒドロキシフェニルメタン、ビス（５−シクロヘキシル−４−ヒドロキシ−３−メチルフェニル）−４−ヒドロキシフェニルメタン、ビス（５−シクロヘキシル−４−ヒドロキシ−３−メチルフェニル）−３−ヒドロキシフェニルメタン、ビス（５−シクロヘキシル−４−ヒドロキシ−３−メチルフェニル）−２−ヒドロキシフェニルメタン、ビス（３−シクロヘキシル−２−ヒドロキシフェニル）−４−ヒドロキシフェニルメタン、ビス（３−シクロヘキシル−２−ヒドロキシフェニル）−２−ヒドロキシフェニルメタン、ビス（５−シクロヘキシル−２−ヒドロキシ−４−メチルフェニル）−２−ヒドロキシフェニルメタン、ビス（５−シクロヘキシル−２−ヒドロキシ−４−メチルフェニル）−４−ヒドロキシフェニルメタンなどの、ビス（シクロヘキシルヒドロキシフェニル）（ヒドロキシフェニル）メタン化合物又はそのメチル置換体等が挙げられる。これらの感光剤はそれぞれ単独で用いても良いし、２種類以上を併用しても良い。
【００９７】
本発明の感光性組成物における前記感光剤の配合量は、光感度に優れる感光性組成物となることから、感光性組成物の樹脂固形分の合計１００質量部に対し、５〜５０質量部となる割合であることが好ましい。
【００９８】
本発明の感光性組成物は、レジスト用途に用いた場合の製膜性やパターンの密着性の向上、現像欠陥を低減するなどの目的で界面活性剤を含有していても良い。ここで用いる界面活性剤は、例えば、ポリオキシエチレンラウリルエーテル、ポリオキシエチレンステアリルエーテル、ポリオキシエチレンセチルエーテル、ポリオキシエチレンオレイルエーテル等のポリオキシエチレンアルキルエーテル化合物、ポリオキシエチレンオクチルフェノールエーテル、ポリオキシエチレンノニルフェノールエーテル等のポリオキシエチレンアルキルアリルエーテル化合物、ポリオキシエチレン・ポリオキシプロピレンブロックコポリマー、ソルビタンモノラウレート、ソルビタンモノパルミテート、ソルビタンモノステアレート、ソルビタンモノオレエート、ソルビタントリオレエート、ソルビタントリステアレート等のソルビタン脂肪酸エステル化合物、ポリオキシエチレンソルビタンモノラウレート、ポリオキシエチレンソルビタンモノパルミテ−ト、ポリオキシエチレンソルビタンモノステアレート、ポリオキシエチレンソルビタントリオレエート、ポリオキシエチレンソルビタントリステアレート等のポリオキシエチレンソルビタン脂肪酸エステル化合物等のノニオン系界面活性剤；フルオロ脂肪族基を有する重合性単量体と［ポリ（オキシアルキレン）］（メタ）アクリレートとの共重合体など分子構造中にフッ素原子を有するフッ素系界面活性剤；分子構造中にシリコーン構造部位を有するシリコーン系界面活性剤等が挙げられる。これらはそれぞれ単独で用いても良いし、２種類以上を併用しても良い。
【００９９】
これらの界面活性剤の配合量は、本発明の感光性組成物中の樹脂固形分の合計１００質量部に対し０．００１〜２質量部の範囲で用いることが好ましい。
【０１００】
本発明の感光性組成物をフォトレジスト用途に用いる場合には、本発明のノボラック型樹脂、光酸発生剤の他、更に必要に応じてその他のフェノール樹脂（Ｖ）や感光剤、界面活性剤、染料、充填材、架橋剤、溶解促進剤など各種の添加剤を加え、有機溶剤に溶解することによりレジスト用組成物とすることができる。これをそのままポジ型レジスト溶液と用いても良いし、或いは、該レジスト用組成物をフィルム状に塗布して脱溶剤させたものをポジ型レジストフィルムとして用いても良い。レジストフィルムとして用いる際の支持フィルムは、ポリエチレン、ポリプロピレン、ポリカーボネート、ポリエチレンテレフタレート等の合成樹脂フィルムが挙げられ、単層フィルムでも複数の積層フィルムでも良い。また、該支持フィルムの表面はコロナ処理されたものや剥離剤が塗布されたものでも良い。
【０１０１】
本発明のレジスト用組成物に用いる有機溶剤は特に限定されないが、例えば、エチレングリコールモノメチルエーテル、エチレングリコールモノエチルエーテル、エチレングリコールモノプロピルエーテル、エチレングリコールモノブチルエーテルプロピレングリコールモノメチルエーテル等のアルキレングリコールモノアルキルエーテル；ジエチレングリコールジメチルエーテル、ジエチレングリコールジエチルエーテル、ジエチレングリコールジプロピルエーテル、ジエチレングリコールジブチルエーテル等のジアルキレングリコールジアルキルエーテル；エチレングリコールモノメチルエーテルアセテート、エチレングリコールモノエチルエーテルアセテート、プロピレングリコールモノメチルエーテルアセテート等のアルキレングリコールアルキルエーテルアセテート；アセトン、メチルエチルケトン、シクロヘキサノン、メチルアミルケトン等のケトン化合物；ジオキサン等の環式エーテル；２−ヒドロキシプロピオン酸メチル、２−ヒドロキシプロピオン酸エチル、２−ヒドロキシ−２−メチルプロピオン酸エチル、エトキシ酢酸エチル、オキシ酢酸エチル、２−ヒドロキシ−３−メチルブタン酸メチル、３−メトキシブチルアセテート、３−メチル−３−メトキシブチルアセテート、蟻酸エチル、酢酸エチル、酢酸ブチル、アセト酢酸メチル、アセト酢酸エチル等のエステル化合物が挙げられる、これらはそれぞれ単独でも地いても良いし、２種類以上を併用しても良い。
【０１０２】
本発明のレジスト用組成物は上記各成分を配合し、攪拌機等を用いて混合することにより調整できる。また、フォトレジスト用樹脂組成物が充填材や顔料を含有する場合には、ディゾルバー、ホモジナイザー、３本ロールミル等の分散装置を用いて分散或いは混合して調整することが出来る。
【０１０３】
本発明のレジスト用組成物を用いたフォトリソグラフィーの方法は、例えば、シリコン基板フォトリソグラフィーを行う対象物上にレジスト用組成物を塗布し、６０〜１５０℃の温度条件でプリベークする。このときの塗布方法は、スピンコート、ロールコート、フローコート、ディップコート、スプレーコート、ドクターブレードコート等の何れの方法でも良い。次にレジストパターンの作成であるが、本発明のレジスト用組成物はポジ型であることから、目的とするレジストパターンを所定のマスクを通じて露光し、露光した箇所をアルカリ現像液にて溶解することにより、レジストパターンを形成する。本発明のレジスト用組成物は、露光部のアルカリ溶解性と、非露光部の耐アルカリ溶解性とが共に高いことから、解像度に優れるレジストパターンの形成が可能となる。
【０１０４】
本発明の硬化性組成物は、前記本発明のノボラック型樹脂と、硬化剤とを必須の成分として含有する。本発明の硬化性組成物は、前記本発明のノボラック型樹脂以外に、その他の樹脂（Ｗ）を併用しても良い。ここで用いるその他の樹脂（Ｗ）は、例えば、各種のノボラック樹脂、ジシクロペンタジエン等の脂環式ジエン化合物とフェノール化合物との付加重合樹脂、フェノール性水酸基含有化合物とアルコキシ基含有芳香族化合物との変性ノボラック樹脂、フェノールアラルキル樹脂（ザイロック樹脂）、ナフトールアラルキル樹脂、トリメチロールメタン樹脂、テトラフェニロールエタン樹脂、ビフェニル変性フェノール樹脂、ビフェニル変性ナフトール樹脂、アミノトリアジン変性フェノール樹脂、及び各種のビニル重合体等が挙げられる。
【０１０５】
前記各種のノボラック樹脂は、より具体的には、フェノールェノール、クレゾールやキシレノール等のアルキルフェノール、フェニルフェノール、レゾルシノール、ビフェニル、ビスフェノールＡやビスフェノールＦ等のビスフェノール、ナフトール、ジヒドロキシナフタレン等のフェノール性水酸基含有化合物と、アルデヒド化合物とを酸触媒条件下で反応させて得られる重合体が挙げられる。
【０１０６】
前記各種のビニル重合体は、ポリヒドロキシスチレン、ポリスチレン、ポリビニルナフタレン、ポリビニルアントラセン、ポリビニルカルバゾール、ポリインデン、ポリアセナフチレン、ポリノルボルネン、ポリシクロデセン、ポリテトラシクロドデセン、ポリノルトリシクレン、ポリ（メタ）アクリレート等のビニル化合物の単独重合体或いはこれらの共重合体が挙げられる。
【０１０７】
これらその他の樹脂を用いる場合、本発明のノボラック型樹脂とその他の樹脂（Ｗ）との配合割合は、用途に応じて任意に設定することが出来るが、本発明が奏するドライエッチング耐性と耐熱分解性とに優れる効果がより顕著に発現することから、本発明のノボラック型樹脂１００質量部に対し、その他の樹脂（Ｗ）が０．５〜１００質量部となる割合であることが好ましい。
【０１０８】
本発明で用いる前記硬化剤は、例えば、メチロール基、アルコキシメチル基、アシロキシメチル基から選ばれる少なくとも一つの基で置換されたメラミン化合物、グアナミン化合物、グリコールウリル化合物、ウレア化合物、レゾール樹脂、エポキシ化合物、イソシアネート化合物、アジド化合物、アルケニルエーテル基等の２重結合を含む化合物、酸無水物、オキサゾリン化合物等が挙げられる。
【０１０９】
前記メラミン化合物は、例えば、ヘキサメチロールメラミン、ヘキサメトキシメチルメラミン、ヘキサメチロールメラミンの１〜６個のメチロール基がメトキシメチル化した化合物、ヘキサメトキシエチルメラミン、ヘキサアシロキシメチルメラミン、ヘキサメチロールメラミンのメチロール基の１〜６個がアシロキシメチル化した化合物等が挙げられる。  
【０１１０】
前記グアナミン化合物は、例えば、テトラメチロールグアナミン、テトラメトキシメチルグアナミン、テトラメトキシメチルベンゾグアナミン、テトラメチロールグアナミンの１〜４個のメチロール基がメトキシメチル化した化合物、テトラメトキシエチルグアナミン、テトラアシロキシグアナミン、テトラメチロールグアナミンの１〜４個のメチロール基がアシロキシメチル化した化合物等が挙げられる。
【０１１１】
前記グリコールウリル化合物は、例えば、１，３，４，６−テトラキス（メトキシメチル）グリコールウリル、１，３，４，６−テトラキス（ブトキシメチル）グリコールウリル、１，３，４，６−テトラキス（ヒドロキシメチル）グリコールウリル等が挙げられる。
【０１１２】
前記ウレア化合物は、例えば、１，３−ビス（ヒドロキシメチル）尿素、１，１，３，３−テトラキス（ブトキシメチル）尿素及び１，１，３，３−テトラキス（メトキシメチル）尿素等が挙げられる。
【０１１３】
前記レゾール樹脂は、例えば、フェノール、クレゾールやキシレノール等のアルキルフェノール、フェニルフェノール、レゾルシノール、ビフェニル、ビスフェノールＡやビスフェノールＦ等のビスフェノール、ナフトール、ジヒドロキシナフタレン等のフェノール性水酸基含有化合物と、アルデヒド化合物とをアルカリ性触媒条件下で反応させて得られる重合体が挙げられる。
【０１１４】
前記エポキシ化合物は、例えば、ジグリシジルオキシナフタレン、フェノールノボラック型エポキシ樹脂、クレゾールノボラック型エポキシ樹脂、ナフトールノボラック型エポキシ樹脂、ナフトール−フェノール共縮ノボラック型エポキシ樹脂、ナフトール−クレゾール共縮ノボラック型エポキシ樹脂、フェノールアラルキル型エポキシ樹脂、ナフトールアラルキル型エポキシ樹脂、１，１−ビス（２，７−ジグリシジルオキシ−１−ナフチル）アルカン、ナフチレンエーテル型エポキシ樹脂、トリフェニルメタン型エポキシ樹脂、ジシクロペンタジエン−フェノール付加反応型エポキシ樹脂、リン原子含有エポキシ樹脂、フェノール性水酸基含有化合物とアルコキシ基含有芳香族化合物との共縮合物のポリグリシジルエーテル等が挙げられる。
【０１１５】
前記イソシアネート化合物は、例えば、トリレンジイソシアネート、ジフェニルメタンジイソシアネート、ヘキサメチレンジイソシアネート、シクロヘキサンジイソシアネート等が挙げられる。
【０１１６】
前記アジド化合物は、例えば、１，１’−ビフェニル−４，４’−ビスアジド、４，４’−メチリデンビスアジド、４，４’−オキシビスアジド等が挙げられる。 
【０１１７】
前記アルケニルエーテル基等の２重結合を含む化合物は、例えば、エチレングリコールジビニルエーテル、トリエチレングリコールジビニルエーテル、１，２−プロパンジオールジビニルエーテル、１，４−ブタンジオールジビニルエーテル、テトラメチレングリコールジビニルエーテル、ネオペンチルグリコールジビニルエーテル、トリメチロールプロパントリビニルエーテル、ヘキサンジオールジビニルエーテル、１，４−シクロヘキサンジオールジビニルエーテル、ペンタエリスリトールトリビニルエーテル、ペンタエリスリトールテトラビニルエーテル、ソルビトールテトラビニルエーテル、ソルビトールペンタビニルエーテル、トリメチロールプロパントリビニルエーテル等が挙げられる。
【０１１８】
前記酸無水物は例えば、無水フタル酸、無水トリメリット酸、無水ピロメリット酸、３，３’，４，４’−ベンゾフェノンテトラカルボン酸二無水物、ビフェニルテトラカルボン酸二無水物、４，４’−（イソプロピリデン）ジフタル酸無水物、４，４’−（ヘキサフルオロイソプロピリデン）ジフタル酸無水物等の芳香族酸無水物；無水テトラヒドロフタル酸、無水メチルテトラヒドロフタル酸、無水ヘキサヒドロフタル酸、無水メチルヘキサヒドロフタル酸、無水エンドメチレンテトラヒドロフタル酸無水ドデセニルコハク酸、無水トリアルキルテトラヒドロフタル酸等の脂環式カルボン酸無水物等が挙げられる。 
【０１１９】
これらの中でも、硬化性や硬化物における耐熱性に優れる硬化性組成物となることから、グリコールウリル化合物、ウレア化合物、レゾール樹脂が好ましく、グリコールウリル化合物が特に好ましい。
【０１２０】
本発明の硬化性組成物における前記硬化剤の配合量は、硬化性に優れる組成物となることから、本発明のノボラック型樹脂とその他の樹脂（Ｗ）との合計１００質量部に対し、０．５〜５０質量部となる割合であることが好ましい。
【０１２１】
本発明の硬化性組成物をレジスト下層膜（ＢＡＲＣ膜）用途に用いる場合には、本発明のノボラック型樹脂、硬化剤の他、更に必要に応じてその他の樹脂（Ｗ）、界面活性剤や染料、充填材、架橋剤、溶解促進剤など各種の添加剤を加え、有機溶剤に溶解することによりレジスト下層膜用組成物とすることができる。
【０１２２】
レジスト下層膜用組成物に用いる有機溶剤は、特に限定されないが、例えば、エチレングリコールモノメチルエーテル、エチレングリコールモノエチルエーテル、エチレングリコールモノプロピルエーテル、エチレングリコールモノブチルエーテルプロピレングリコールモノメチルエーテル等のアルキレングリコールモノアルキルエーテル；ジエチレングリコールジメチルエーテル、ジエチレングリコールジエチルエーテル、ジエチレングリコールジプロピルエーテル、ジエチレングリコールジブチルエーテル等のジアルキレングリコールジアルキルエーテル；エチレングリコールモノメチルエーテルアセテート、エチレングリコールモノエチルエーテルアセテート、プロピレングリコールモノメチルエーテルアセテート等のアルキレングリコールアルキルエーテルアセテート；アセトン、メチルエチルケトン、シクロヘキサノン、メチルアミルケトン等のケトン化合物；ジオキサン等の環式エーテル；２−ヒドロキシプロピオン酸メチル、２−ヒドロキシプロピオン酸エチル、２−ヒドロキシ−２−メチルプロピオン酸エチル、エトキシ酢酸エチル、オキシ酢酸エチル、２−ヒドロキシ−３−メチルブタン酸メチル、３−メトキシブチルアセテート、３−メチル−３−メトキシブチルアセテート、蟻酸エチル、酢酸エチル、酢酸ブチル、アセト酢酸メチル、アセト酢酸エチル等のエステル化合物が挙げられる、これらはそれぞれ単独でも地いても良いし、２種類以上を併用しても良い。
【０１２３】
前記レジスト下層膜用組成物は上記各成分を配合し、攪拌機等を用いて混合することにより調整できる。また、レジスト下層膜用組成物が充填材や顔料を含有する場合には、ディゾルバー、ホモジナイザー、３本ロールミル等の分散装置を用いて分散或いは混合して調整することが出来る。
【０１２４】
前記レジスト下層膜用組成物からレジスト下層膜を作成するには、例えば、前記レジスト下層膜用組成物を、シリコン基板などフォトリソグラフィーを行う対象物上に塗布し、１００〜２００℃の温度条件下で乾燥させた後、更に２５０〜４００℃の温度条件下で加熱硬化させるなどの方法によりレジスト下層膜を形成する。次いで、この下層膜上で通常のフォトリソグラフィー操作を行ってレジストパターンを形成し、ハロゲン系プラズマガス等でドライエッチング処理することにより、多層レジスト法によるレジストパターンを形成することが出来る。
【０１２５】
本発明の硬化性組成物をレジスト永久膜用途に用いる場合には、本発明のノボラック型樹脂、硬化剤の他、更に必要に応じてその他の樹脂（Ｗ）、界面活性剤や染料、充填材、架橋剤、溶解促進剤など各種の添加剤を加え、有機溶剤に溶解することによりレジスト永久膜用組成物とすることができる。ここで用いる有機溶剤は、レジスト下層膜用組成物で用いる有機溶剤と同様のものが挙げられる。
【０１２６】
前記レジスト永久膜用組成物を用いたフォトリソグラフィーの方法は、例えば、有機溶剤に樹脂成分及び添加剤成分を溶解・分散させ、シリコン基板フォトリソグラフィーを行う対象物上に塗布し、６０〜１５０℃の温度条件でプリベークする。このときの塗布方法は、スピンコート、ロールコート、フローコート、ディップコート、スプレーコート、ドクターブレードコート等の何れの方法でもよい。次にレジストパターンの作成であるが、当該レジスト永久膜用組成物がポジ型の場合には、目的とするレジストパターンを所定のマスクを通じて露光し、露光した箇所をアルカリ現像液にて溶解することにより、レジストパターンを形成する。
【０１２７】
前記レジスト永久膜用組成物からなる永久膜は、例えば、半導体デバイス関係ではソルダーレジスト、パッケージ材、アンダーフィル材、回路素子等のパッケージ接着層や集積回路素子と回路基板の接着層、ＬＣＤ、ＯＥＬＤに代表される薄型ディスプレイ関係では薄膜トランジスタ保護膜、液晶カラーフィルター保護膜、ブラックマトリックス、スペーサーなどに好適に用いることができる。
【実施例】
【０１２８】
以下に具体的な例を挙げて、本発明をさらに詳しく説明する。【０１２９】
［ＧＰＣの測定条件］
下記実施例において、フェノール樹脂中間体中の環状フェノール樹脂中間体（Ａ’）の含有量は、下記条件で測定したゲルパーミエーションクロマトグラフィー（ＧＰＣ）のチャート図の面積比から算出した値である。
測定装置：東ソー株式会社製「ＨＬＣ−８２２０  ＧＰＣ」
カラム：昭和電工株式会社製「Ｓｈｏｄｅｘ  ＫＦ８０２」（８．０ｍｍФ×３００ｍｍ）＋昭和電工株式会社製「Ｓｈｏｄｅｘ  ＫＦ８０２」（８．０ｍｍФ×３００ｍｍ）
＋昭和電工株式会社製「Ｓｈｏｄｅｘ  ＫＦ８０３」（８．０ｍｍФ×３００ｍｍ）＋昭和電工株式会社製「Ｓｈｏｄｅｘ  ＫＦ８０４」（８．０ｍｍФ×３００ｍｍ）
カラム温度：４０℃
検出器： ＲＩ（示差屈折計）
データ処理：東ソー株式会社製「ＧＰＣ−８０２０モデルＩＩバージョン４．３０」
展開溶媒：テトラヒドロフラン
流速：１．０ｍＬ／分
試料：樹脂固形分換算で０．５質量％のテトラヒドロフラン溶液をマイクロフィルターでろ過したもの
注入量：０．１ｍＬ
標準試料：下記単分散ポリスチレン
（標準試料：単分散ポリスチレン）
東ソー株式会社製「Ａ−５００」
東ソー株式会社製「Ａ−２５００」
東ソー株式会社製「Ａ−５０００」
東ソー株式会社製「Ｆ−１」
東ソー株式会社製「Ｆ−２」
東ソー株式会社製「Ｆ−４」
東ソー株式会社製「Ｆ−１０」
東ソー株式会社製「Ｆ−２０」【０１３０】
フェノール樹脂中間体のＦＤ−ＭＳスペクトルは、日本電子株式会社製の二重収束型質量分析装置「ＡＸ５０５Ｈ（ＦＤ５０５Ｈ）」を用いて測定した。【０１３１】
製造例１  フェノール樹脂中間体（１）の製造
温度計、滴下ロート、冷却管、撹拌器を取り付けたフラスコに、１，６−ジヒドロキシナフタレン１２０質量部、１―ナフトール３６質量部、４−ヒドロキシベンズアルデヒド１２２質量部、１−ブタノール２９０質量部、９５％硫酸１．７質量部を仕込み、１００℃に昇温後１２時間撹拌した。反応終了後、イオン交換水１６０質量部を加え、分液漏斗で下層よりｐＨ１の水層を棄却した。有機層をイオン交換水１６０質量部で水洗し、これを７回繰り返した。最後の水洗で棄却される水層のｐＨは４であった。水洗後の有機層をエバポレータで加熱減圧乾燥しフェノール樹脂中間体（１）２４６質量部を得た。ＧＰＣチャート図から算出される、フェノール樹脂中間体（１）中の環状フェノール樹脂中間体（Ａ’）含有量は７４％であった。また、ＦＤ−ＭＳスペクトルにて、下記構造式においてｎの値が４である化合物の存在を示す９９２、１００８、１０２４、１０４１のピークが検出された。フェノール樹脂中間体（１）のＧＰＣチャートを図１に、ＦＤ−ＭＳチャートを図２に示す。【０１３２】
【化１０】
2017098882.tif 000012
【０１３３】
製造例２  フェノール樹脂中間体（２）の製造
製造例１において、１，６−ジヒドロキシナフタレン１２０質量部、１―ナフトール３６質量部を、１，６−ジヒドロキシナフタレン９０質量部、１―ナフトール７２質量部に変更した以外は、製造例１と同様にしてフェノール樹脂中間体（２）２３７質量部を得た。ＧＰＣチャート図から算出される、フェノール樹脂中間体（２）中の環状フェノール樹脂中間体（Ａ’）含有量は７９％であった。また、ＦＤ−ＭＳスペクトルにて、前記構造式においてｎの値が４である化合物の存在を示す９９２、１００８、１０２４、１０４１、１０５８のピークが検出された。フェノール樹脂中間体（２）のＧＰＣチャートを図３に、ＦＤ−ＭＳチャートを図４に示す。【０１３４】
製造例３  フェノール樹脂中間体（３）の製造
製造例１において、１，６−ジヒドロキシナフタレン１２０質量部、１―ナフトール３６質量部を、１，６−ジヒドロキシナフタレン４０質量部、１―ナフトール１０８質量部に変更した以外は、製造例１と同様にしてフェノール樹脂中間体（３）２３１質量部を得た。ＧＰＣチャート図から算出される、フェノール樹脂中間体（３）中の環状フェノール樹脂中間体（Ａ’）含有量は６５％であった。また、ＦＤ−ＭＳスペクトルにて、前記構造式においてｎの値が４である化合物の存在を示す９９２、１００８、１０２４、１０４１、１０５８のピークが検出された。フェノール樹脂中間体（３）のＧＰＣチャートを図５に、ＦＤ−ＭＳチャートを図６に示す。【０１３５】
実施例１  ノボラック型樹脂（１）の製造
冷却管を設置した１０００ｍｌ３口フラスコに製造例１で合成したフェノール樹脂中間体（１）６０質量部、保護基導入剤としてエチルビニルエーテル４０質量部を仕込んだ後、１，３−ジオキソラン３００質量部に溶解させた。３５ｗｔ％塩酸水溶液０．１質量部を添加した後、２５℃で４時間攪拌を継続し反応させた。反応中にメタノールで滴定を行い、メタノール溶解成分が消失し、水酸基のほぼすべてに保護基が導入されたことを確認した後、２５ｗｔ％アンモニア水溶液１質量部を添加した。得られた溶液に水を加えて再沈殿操作を行い、沈殿物を濾別、真空乾燥を行い赤紫色粉末のノボラック型樹脂（１）７１質量部を得た。【０１３６】
実施例２  ノボラック型樹脂（２）の製造
保護基導入剤として、エチルビニルエーテル４０質量部に替えてジヒドロピラン４４質量部とした以外は実施例１と同様の操作を行い、赤紫色粉末のノボラック型樹脂（２）６８質量部を得た。【０１３７】
実施例３  ノボラック型樹脂（３）の製造
フェノール樹脂中間体（１）６０質量部に替えてフェノール樹脂中間体（２）６０質量部とした以外は実施例１と同様の操作を行い、赤紫色粉末のノボラック型樹脂（３）６６質量部を得た。【０１３８】
実施例４  ノボラック型樹脂（４）の製造
フェノール樹脂中間体（１）６０質量部に替えてフェノール樹脂中間体（３）６０質量部とした以外は実施例１と同様の操作を行い、赤紫色粉末のボラック型樹脂（４）７０質量部を得た。【０１３９】
比較製造例１  ノボラック型樹脂（１’）の製造
温度計、滴下ロート、冷却管、撹拌器を取り付けたフラスコに、１，６−ジヒドロキシナフタレン１６０質量部、４−ヒドロキシベンズアルデヒド１２２質量部、２−エトキシエタノール２９０質量部、９５％硫酸１．７質量部を仕込み、８０℃に昇温後８時間撹拌して反応させた。反応終了後、酢酸エチル３００質量部、イオン交換水１６０質量部を加えた後、分液漏斗で水層を棄却した。水層のｐＨは１であった。有機層をイオン交換水１６０質量部で水洗し、これを７回繰り返した。最後の水洗で棄却される水層のｐＨは４であった。水洗後の有機層をエバポレータで加熱減圧乾燥し、粗生成物２４７質量部を得た。次いで、得られた粗生成物１００質量部をメタノール１００質量部に溶解した後、イオン交換水３００質量部に撹拌しながら滴下し、再沈殿操作を行った。生成した沈殿をフィルターでろ過し、得られたろ過残渣を分取し、減圧乾燥器を用いて乾燥を行い、環状フェノール樹脂中間体（１’）６０質量部を得た。【０１４０】
冷却管を設置した１００ｍＬ容２口フラスコに、先で得た環状フェノール樹脂中間体（１’）４．４質量部、ジヒドロピラン４．２質量部を仕込み、１，３−ジオキソラン３０質量部に溶解させた。次いで、反応系の溶液に、３５ｗｔ％塩酸水溶液０．０１質量部を添加した後、２５℃で４時間反応を行った。反応後、反応系の溶液に２５ｗｔ％アンモニア水溶液０．１質量部を添加した後、イオン交換水１００質量部中に注ぎ、反応物を沈殿させた。得られた反応物を８０℃、１．３ｋＰａで減圧乾燥し、ノボラック型樹脂（１’）４．３質量部を得た。【０１４１】
実施例５〜８及び比較例１
実施例１〜５、比較製造例１で得たノボラック型樹脂について、下記の要領で感光性組成物を調整し、各種評価を行った。結果を表１に示す。【０１４２】
感光性組成物の調整
ノボラック型樹脂１９質量部をプロピレングリコールモノメチルエーテルアセテート８０質量部に溶解させ、この溶液に光酸発生剤１ｇを加えて溶解させた。これを０．２μｍのメンブランフィルターで濾過し、感光性組成物を得た。
光酸発生剤は和光純薬株式会社製「ＷＰＡＧ−３３６」［ジフェニル（４−メチルフェニル）スルフォニウムトリフルオロメタンスルフォネート］を用いた。【０１４３】
耐熱性試験用組成物の調整
前記ノボラック型樹脂１９ｇをプロピレングリコールモノメチルエーテルアセテート８０ｇに溶解させ、これを０．２μｍのメンブランフィルターで濾過し、耐熱性試験用組成物を得た。【０１４４】
アルカリ現像性［ＡＤＲ（ｎｍ／ｓ）］の評価
先で得た感光性組成物を５インチシリコンウェハー上に約１μｍの厚さになるようにスピンコーターで塗布し、１１０℃のホットプレート上で６０秒乾燥させた。このウェハーを２枚用意し、一方を「露光なしサンプル」とした。他方を「露光有サンプル」としてｇｈｉ線ランプ（ウシオ電機株式会社製「マルチライト」）を用いて１００ｍＪ／ｃｍ２のｇｈｉ線を照射したのち、１４０℃、６０秒間の条件で加熱処理を行った。
「露光なしサンプル」と「露光有サンプル」の両方をアルカリ現像液（２．３８％水酸化テトラメチルアンモニウム水溶液）に６０秒間浸漬した後、１１０℃のホットプレート上で６０秒乾燥させた。各サンプルの現像液浸漬前後の膜厚を測定し、その差分を６０で除した値をアルカリ現像性［ＡＤＲ（ｎｍ／ｓ）］とした。【０１４５】
光感度の評価
先で得た感光性組成物を５インチシリコンウェハー上に約１μｍの厚さになるようにスピンコーターで塗布し、１１０℃のホットプレート上で６０秒乾燥させた。このウェハー上にラインアンドスペースが１：１であり、ライン幅が１〜１０μmまで１μｍごとに設定されたレジストパターン対応のマスクを密着させた後、ｇｈｉ線ランプ（ウシオ電機株式会社製「マルチライト」）を用いてｇｈｉ線を照射し、１４０℃、６０秒間の条件で加熱処理を行った。次いで、アルカリ現像液（２．３８％水酸化テトラメチルアンモニウム水溶液）に６０秒間浸漬した後、１１０℃のホットプレート上で６０秒乾燥させた。
ｇｈｉ線露光量を３０ｍＪ/ｃｍ２から５ｍＪ/ｃｍ２毎に増加させた場合の、ライン幅３μmを忠実に再現することのできる露光量（Ｅｏｐ露光量）を評価した。【０１４６】
解像度の評価
先で得た感光性組成物を５インチシリコンウェハー上に約１μｍの厚さになるようにスピンコーターで塗布し、１１０℃のホットプレート上で６０秒乾燥させた。得られたウェハー上にフォトマスクを乗せ、先のアルカリ現像性評価の場合と同様の方法でｇｈｉ線２００ｍＪ/ｃｍ２を照射し、アルカリ現像操作を行った。レーザーマイクロスコープ（株式会社キーエンス製「ＶＫ−Ｘ２００」）を用いてパターン状態を確認し、Ｌ／Ｓ＝５μｍで解像できているものを○、Ｌ／Ｓ＝５μｍで解像できていないものを×として評価した。【０１４７】
耐熱性の評価
先で得た耐熱性試験用組成物を５インチシリコンウェハー上に約１μｍの厚さになるようにスピンコーターで塗布し、１１０℃のホットプレート上で６０秒乾燥させた。得られたウェハーより樹脂分をかきとり、そのガラス転移温度（Ｔｇ）を測定した。ガラス転移温度（Ｔｇ）の測定は示差走査熱量計（ＤＳＣ）（株式会社ＴＡインスツルメント製「Ｑ１００」）を用いて、窒素雰囲気下、温度範囲−１００〜２００℃、昇温温度１０℃／分の条件で行った。ガラス転移温度が１７０℃以上の場合を○、１７０℃未満の場合を×として評価した。【０１４８】
【表１】
2017098882.tif 000013
【０１４９】
実施例９〜１２
実施例１〜４、比較製造例１で得たノボラック型樹脂について、下記の要領で硬化性組成物を調整し、各種の評価試験を行った。結果を表２に示す。【０１５０】
硬化性組成物の調整
ノボラック型樹脂１６ｇ、硬化剤（東京化成工業株式会社製「１，３，４，６−テトラキス（メトキシメチル）グリコールウリル」）４ｇをプロピレングリコールモノメチルエーテルアセテート３０ｇに溶解させ、これを０．２μｍのメンブランフィルターで濾過し、硬化性組成物を得た。【０１５１】
耐ドライエッチング性の評価
先で得た硬化性組成物を５インチシリコンウェハー上にスピンコーターで塗布し、１１０℃のホットプレート上で６０秒乾燥させた。酸素濃度２０容量％のホットプレート内にて、１８０℃で６０秒間加熱し、更に、３５０℃で１２０秒間加熱して、膜厚０．３μｍの硬化塗膜月シリコンウェハーを得た。ウェハー上の硬化塗膜を、エッチング装置（神鋼精機社製の「ＥＸＡＭ」）を使用して、ＣＦ４／Ａｒ／Ｏ２（ＣＦ４：４０ｍＬ／分、Ａｒ：２０ｍＬ／分、Ｏ２：５ｍＬ／分  圧力：２０Ｐａ  ＲＦパワー：２００Ｗ  処理時間：４０秒  温度：１５℃）の条件でエッチング処理した。このときのエッチング処理前後の膜厚を測定して、エッチングレートを算出し、エッチング耐性を評価した。評価基準は以下の通りである。
○：エッチングレートが１５０ｎｍ／分以下の場合
×：エッチングレートが１５０ｎｍ／分を超える場合【０１５２】
【表２】
2017098882.tif 000014
【図１】
2017098882.tif 000021
【図２】
2017098882.tif 000022
【図３】
2017098882.tif 000023
【図４】
2017098882.tif 000024
【図５】
2017098882.tif 000025
【図６】
2017098882.tif 000026
【国際調査報告】
2017098882.tif 000027
2017098882.tif 000028
2017098882.tif 000029
2017098882.tif 000030